(57)【要約】  除湿機１００は、吹出口４が形成された筐体１と、空気中の水分を除去する除湿部と、除湿部によって水分が除去された乾燥空気を吹出口４から吹き出させる送風ファンと、吹出口４から乾燥空気が吹き出される方向を決める風向変更部１０と、操作指示を送信する操作キー２１ｄと、操作キー２１ｄから操作指示を受信すると、風向変更部１０に、吹出口４から乾燥空気が吹き出される方向を変更させる制御装置と、吹出口４から乾燥空気が吹き出される方向へ可視光を照射する照射部１９と、を備える。
2017141487.tif 000002
【特許請求の範囲】
【請求項１】
吹出口が形成された筐体と、
前記筐体の内部に設けられ、空気中の水分を除去する除湿手段と、
前記除湿手段によって水分が除去された乾燥空気を前記吹出口から吹き出させる吹出手段と、
前記吹出口から乾燥空気が吹き出される方向を決める風向決定手段と、
操作指示を送信する操作手段と、
前記操作手段から操作指示を受信すると、前記風向決定手段を動かし、前記吹出口から乾燥空気が吹き出される方向を変更させる制御手段と、
前記吹出口から乾燥空気が吹き出される方向へ可視光を照射する照射手段と、
を備える除湿機。
【請求項２】
前記照射手段は、前記風向決定手段に設けられ、前記風向決定手段が動くと前記風向決定手段と共に動く請求項１に記載の除湿機。
【請求項３】
前記風向決定手段は、
動くことによって、前記吹出口から乾燥空気が吹き出される方向を上下方向に変更する第１変更部と、
動くことによって、前記吹出口から乾燥空気が吹き出される方向を左右方向に変更する第２変更部と、
を有し、
前記第２変更部は、前記第１変更部が動くと前記第１変更部と共に前記第１変更部が動く方向と同じ方向へ動き、
前記照射手段は、前記第２変更部が動くと前記第２変更部と共に前記第２変更部が動く方向と同じ方向へ動く請求項２に記載の除湿機。
【請求項４】
前記操作手段は、前記筐体に設けられた操作キーを有する請求項１から請求項３の何れか１項に記載の除湿機。
【請求項５】
前記操作手段は、前記筐体の外部のリモートコントローラーに設けられた操作キーを有する請求項１から請求項４の何れか１項に記載の除湿機。
【請求項６】
前記照射手段によって可視光が照射されている時に、前記照射手段によって可視光が照射されている方向を設定方向として設定する設定手段を備え、
前記制御手段は、前記設定手段によって設定方向が設定されると、前記風向決定手段に、前記吹出口から乾燥空気が吹き出される方向を、前記設定手段によって設定された設定方向に固定させる請求項１から請求項５の何れか１項に記載の除湿機。
【請求項７】
記憶手段と、
前記照射手段によって可視光が照射されている時に、前記照射手段によって可視光が照射されている方向を設定方向として前記記憶手段に設定する設定手段と、
を備え、
前記制御手段は、前記設定手段によって第１の設定方向が設定されてから前記設定手段によって第２の設定方向が設定されると、前記風向決定手段に、前記吹出口から乾燥空気が吹き出される方向を、前記第１の設定方向と前記第２の設定方向との間の範囲で変更させる請求項１から請求項５の何れか１項に記載の除湿機。
【請求項８】
前記吹出口から吹き出された乾燥空気が当たる場所の表面温度を検出する表面温度検出手段を備え、
前記制御手段は、前記表面温度検出手段によって検出された表面温度が基準値を超えると前記吹出手段を停止させる請求項１から請求項７の何れか１項に記載の除湿機。
【発明の詳細な説明】
【技術分野】
【０００１】
本発明は、除湿機に関するものである。
【背景技術】
【０００２】
特許文献１に、乾燥空気を吹き出す除湿機の一例として、発光体を有する衣類乾燥機が記載されている。特許文献１において発光体は、乾燥空気が吹き出される方向に向けて光を照射する。これにより使用者は、乾燥空気が吹き出される方向を認識することができる。
【先行技術文献】
【特許文献】
【０００３】
【特許文献１】日本特開２００８−１８８１８８号公報
【発明の概要】
【発明が解決しようとする課題】
【０００４】
上記特許文献１において使用者は、乾燥空気が吹き出される方向を任意に変更させることができない。上記特許文献１において使用者は、乾燥空気が送られる対象物を、衣類乾燥機から乾燥空気が吹き出される方向に合わせて動かす必要がある。【０００５】
本発明は、上記のような課題を解決するためになされたものである。本発明の目的は、乾燥空気が吹き出される方向を使用者へより容易に認識させ、かつ乾燥空気が吹き出される方向を任意の方向へより容易に変更することができる除湿機を得ることである。
【課題を解決するための手段】
【０００６】
本発明に係る除湿機は、吹出口が形成された筐体と、筐体の内部に設けられ、空気中の水分を除去する除湿手段と、除湿手段によって水分が除去された乾燥空気を吹出口から吹き出させる吹出手段と、吹出口から乾燥空気が吹き出される方向を決める風向決定手段と、操作指示を送信する操作手段と、操作手段から操作指示を受信すると、風向決定手段を動かし、吹出口から乾燥空気が吹き出される方向を変更させる制御手段と、吹出口から乾燥空気が吹き出される方向へ可視光を照射する照射手段と、を備える。
【発明の効果】
【０００７】
本発明に係る除湿機は、操作手段から操作指示を受信すると、風向決定手段を動かし、吹出口から乾燥空気が吹き出される方向を変更させる制御手段と、吹出口から乾燥空気が吹き出される方向へ可視光を照射する照射手段と、を備える。このため、乾燥空気が吹き出される方向を使用者へより容易に認識させ、かつ乾燥空気が吹き出される方向を任意の方向へより容易に変更することができる除湿機が得られる。
【図面の簡単な説明】
【０００８】
【図１】実施の形態１の除湿機の外観を示す斜視図である。
【図２】実施の形態１の除湿機の構造を示す縦断面図である。
【図３】実施の形態１の風向変更部の構成を示す断面図である。
【図４】実施の形態１のセンサ部を正面から見た図である。
【図５】実施の形態１のセンサ部の構造を示す断面図である。
【図６】実施の形態１の制御装置を示す図である。
【図７】実施の形態１の除湿機の動作を示す図である。
【図８】実施の形態２の除湿機の動作を示す図である。
【発明を実施するための形態】
【０００９】
以下、添付の図面を参照して、実施の形態について説明する。各図における同一部分または相当部分には、同一の符号を付して、重複する説明を簡略化または省略する。
【００１０】
実施の形態１．
図１は、実施の形態１の除湿機１００の外観を示す斜視図である。また図２は、実施の形態１の除湿機１００の構造を示す縦断面図である。ここで、図２における紙面上の左右方向を、除湿機１００の前後方向とする。また図２における紙面上の上下方向を、除湿機１００の上下方向とする。すなわち図２において、紙面の手前方向が除湿機１００の左方向になる。図２において、紙面の奥方向が除湿機１００の右方向となる。
【００１１】
除湿機１００は、筐体１を備える。筐体１は、除湿機１００の外殻となる部位である。筐体１は、例えば自立可能な縦長の箱状の形状に形成されている。また除湿機１００は、例えば車輪２を備えてもよい。車輪２は、例えば図２に示すように、筐体１の底に設けられる。この車輪２によって、除湿機１００は移動可能となる。
【００１２】
筐体１には、吸込口３が形成される。吸込口３は、筐体１の内部に空気を取り込むための開口である。吸込口３は、例えば筐体１の後面に形成される。また筐体１には、吹出口４が形成される。吹出口４は、筐体１の内部から外部に向かって空気を吹き出すための開口である。吹出口４は、例えば筐体１の前面の上部に形成される。吹出口４の形状は、例えば筐体１の左右方向に伸びる長方形状である。
【００１３】
筐体１の内部には、風路５が形成される。風路５は、吸込口３から吹出口４へ至る空間である。また除湿機１００は、吹出手段の一例として、送風ファン６ａ及びファンモータ６を備える。送風ファン６ａは、風路５内に、吸込口３から吹出口４へと向かう気流を発生させるファンである。送風ファン６ａには、ファンモータ６が接続される。ファンモータ６は、送風ファン６ａを回転させるモータである。
【００１４】
送風ファン６ａ及びファンモータ６は、例えば図２に示すように、筐体１の内部に設けられる。また送風ファン６ａは、風路５内に配置される。本実施例の風路５内には、送風ファン６ａによって、吸込口３から吹出口４へ向かって空気が流れる。送風ファン６ａによって、吹出口４から空気が吹き出される。ここで風路５において、吸込口３がある側を上流側、吹出口４がある側を下流側とする。すなわち本実施例において空気は、風路５内を上流側から下流側へと向かって流れる。
【００１５】
除湿機１００は、空気中に含まれる水分を除去する除湿手段の一例として、除湿部７を備える。除湿部７は、例えば空気中の水分を凝縮する装置である。除湿部７は、凝縮した水分を排出する。一例として除湿部７は、凝縮した水分を、液体の水として下方に滴下する。除湿部７によって、空気中の水分が除去、すなわち空気が除湿される。除湿部７によって除湿された空気は、乾燥した空気となる。
【００１６】
除湿部７は、例えばヒートポンプ回路を利用した装置である。除湿部７は、例えばヒートポンプ回路中の蒸発器によって、空気中の水分を凝縮させる。また除湿部７は、例えばデシカント方式の装置であってもよい。デシカント方式の装置は、空気中の水分を吸着する吸着剤及び熱交換器を有する。吸着剤に吸着された水分は、熱交換器によって凝縮される。
【００１７】
除湿部７は、例えば筐体１の内部に設けられる。除湿部７は、風路５内に配置される。除湿部７は、一例として、吸込口３と送風ファン６ａとの間に配置される。すなわち本実施例の除湿部７は、送風ファン６ａの上流側に配置される。本実施例では、吸込口３、除湿部７、送風ファン６ａ及び吹出口４が、上流側から下流側へ順に配置される。
【００１８】
除湿機１００は、貯水部８を備える。貯水部８は、除湿部７によって排出された水を貯める部位である。貯水部８は、例えば図２に示すように、上部が開口した容器である。貯水部８は、筐体１の内部で、除湿部７の下方に設けられる。また貯水部８は、例えば筐体１から着脱可能に設けられる。貯水部８は、除湿部７から滴下された水を、上部の開口から受けて貯める。
【００１９】
また除湿機１００は、フィルター９を備えてもよい。フィルター９は、例えば筐体１の内部に設けられる。フィルター９は、吸込口３を筐体１の内部から覆うように設けられる。フィルター９は、筐体１の内部への塵及び埃の侵入を防止する。
【００２０】
除湿機１００は、風向変更部１０を備える。図３は、実施の形態１の風向変更部１０の構成を示す断面図である。図３の紙面上の上下左右方向は、本実施の形態の除湿機１００の上下左右方向に対応する。
【００２１】
風向変更部１０は、吹出口４から空気が吹き出される方向を決める部位である。吹出口４から空気が吹き出される方向を、以下では吹出方向と呼称する。風向変更部１０が動くことにより、吹出方向は変更される。風向変更部１０は、例えば吹出口４の近傍に配置される。風向変更部１０は、風向決定手段の一例である。
【００２２】
風向変更部１０は、例えば図１及び図３に示すように、第１変更部の一例として上下方向ルーバー１１を有する。上下方向ルーバー１１は、例えば吹出口４の形状に合わせた形に形成される。本実施例の上下方向ルーバー１１は、筐体１の左右方向に伸びる長方形状の枠状の部位である。上下方向ルーバー１１は、一例として図３に示すように、左右方向に伸びる板状の部位を３枚有する。上下方向ルーバー１１は、例えば左右方向に伸びる長方形状の開口を有する。上下方向ルーバー１１は、左右方向の軸を中心にして回動可能に形成される。
【００２３】
風向変更部１０は、上下方向ルーバー１１を動かすための第１モータ１２を有する。第１モータ１２は、例えば筐体１の内部に設けられる。第１モータ１２は、例えば歯車１２ａ、歯車１２ｂ及び歯車１２ｃを介して、上下方向ルーバー１１を回動させる。上下方向ルーバー１１が回動すると、上下方向ルーバー１１の開口の向きは、左右方向の軸に垂直な面内で変更される。これにより、吹出方向が上下方向に変更される。
【００２４】
また風向変更部１０は、例えば図１及び図３に示すように、第２変更部の一例として左右方向ルーバー１３を有する。左右方向ルーバー１３は、上下方向に伸びる板状の部位を有する。左右方向ルーバー１３は、一例として上下方向に伸びる板状の部位を６枚有する。上下方向に伸びる６枚の板状の部位は、例えば等間隔に配置される。左右方向ルーバー１３は、上下方向の軸を中心にして回動可能に形成される。左右方向ルーバー１３は、例えば上下方向ルーバー１１の内側に配置される。上下方向ルーバー１１と左右方向ルーバー１３とは、例えば左右方向の中央の位置が一致するように配置される。
【００２５】
風向変更部１０は左右方向ルーバー１３を動かすための第２モータ１４を有する。第２モータ１４は、例えば筐体１の内部に設けられる。また風向変更部１０はリンク１５を有する。リンク１５は、例えば左右方向ルーバー１３の後部に接続される。リンク１５は、第２モータ１４に接続される。すなわち左右方向ルーバー１３と第２モータ１４とは、リンク１５を介して接続される。第２モータ１４が駆動すると、リンク１５を介して左右方向ルーバー１３が回動する。左右方向ルーバー１３が上下方向の軸を中心にして回動することにより、吹出方向が左右方向に変更される。
【００２６】
また左右方向ルーバー１３は、左右方向の軸を中心にして回動可能に形成される。リンク１５は、上下方向ルーバー１１に接続される。リンク１５は、上下方向ルーバー１１が動くと、上下方向ルーバー１１と共に動く。リンク１５が動くと、リンク１５と共に左右方向ルーバー１３が動く。すなわち左右方向ルーバー１３は、上下方向ルーバー１１が動くと、上下方向ルーバー１１と共に動く。左右方向ルーバー１３は、上下方向ルーバー１１が動く方向と同じ方向へ動く。
【００２７】
除湿機１００は、センサ部１６を備える。センサ部１６は、例えば上下方向ルーバー１１の内側に配置される。センサ部１６は、例えば上下方向ルーバー１１の左右方向の中央の位置に配置される。
【００２８】
図４は、実施の形態１のセンサ部１６を正面から見た図である。図５は、実施の形態１のセンサ部１６の構造を示す断面図である。図４の紙面の手前方向を、センサ部１６の正面方向とする。図４の紙面上の上下方向を、センサ部１６の上下方向とする。図５において、紙面上の右方向はセンサ部１６の正面方向、紙面上の左方向はセンサ部１６の背面方向である。図５の紙面上の上下方向は、センサ部１６の上下方向である。
【００２９】
センサ部１６は、例えば図１、図３、図４及び図５に示すように、センサケース１７を有する。センサケース１７は、センサ部１６の外枠となる部位である。センサケース１７の形状は、一例として筒状である。センサケース１７は、上下方向の軸及び左右方向の軸を中心にして回動可能に形成される。
【００３０】
センサケース１７は、例えば上下方向ルーバー１１の左右方向の中央の位置で、リンク１５に接続される。センサケース１７は、リンク１５を介して、左右方向ルーバー１３に接続される。なおセンサケース１７は、例えばリンク１５を介さずに左右方向ルーバー１３に直接設けられてもよい。
【００３１】
センサケース１７は、正面方向が吹出方向に向くように設けられる。センサケース１７は、左右方向ルーバー１３が動くと、左右方向ルーバー１３と共に動く。センサケース１７は、左右方向ルーバー１３が動く方向と同じ方向へ動く。センサケース１７の正面方向は、吹出方向が変更された場合においても、変更された吹出方向へ向く。
【００３２】
センサケース１７は、例えば正面側にセンサ窓１７ａを有してもよい。センサ窓１７ａは、赤外線の透過率が高い材料によって形成される。赤外線の透過率が高い材料は、例えばシリコンウエハである。センサ窓１７ａは、吹出口４から吹き出された空気が当たる領域から放射される赤外線が透過するように、形成される。吹出口４から吹き出された空気が当たる領域を、以下では吹出領域と呼称する。
【００３３】
センサ部１６は、表面温度検出手段の一例として、表面温度検出部１８を有してもよい。表面温度検出部１８は、対象領域の表面温度を、非接触の状態で検出する部位である。表面温度検出部１８は、表面温度を検出する対象領域が吹出領域と一致あるいは近くなるように形成される。
【００３４】
表面温度検出部１８は、センサケース１７の内部に設けられる。表面温度検出部１８は、センサ窓１７ａの背面側に配置される。表面温度検出部１８には、例えば熱起電力を利用したものが用いられる。表面温度検出部１８は、例えば赤外線吸収膜及びサーミスタを有する。表面温度検出部１８の赤外線吸収膜は、センサ窓１７ａを透過する赤外線を吸収する。
【００３５】
赤外線吸収膜は、感熱部分を有する。赤外線吸収膜の感熱部分は、センサ窓１７ａを透過した赤外線を吸収することによって昇温する。赤外線吸収膜の感熱部分は、温接点となる。またサーミスタは、冷接点の一例である赤外線吸収膜の感熱部分ではない部位の温度を検出する。表面温度検出部１８は、上記の温接点と冷接点との温度差から、赤外線吸収膜に吸収された赤外線を発した領域、すなわち吹出領域の表面温度を検出する。
【００３６】
吹出領域は、吹出方向と共に変更される。センサケース１７の内部に設けられた表面温度検出部１８は、センサケース１７と共に動く。すなわち表面温度検出部１８は、左右方向ルーバー１３と共に動く。表面温度検出部１８は、例えば吹出領域が変更された場合においても、変更された吹出領域の表面温度を検出することができる。
【００３７】
またセンサ部１６は、可視光を照射する照射手段の一例として、照射部１９を有する。照射部１９は、例えば光源１９ａ及びレンズ１９ｂを有する。レンズ１９ｂは、センサケース１７の正面部分に設けられる。レンズ１９ｂは、例えばセンサ窓１７ａよりも下方に配置される。光源１９ａは、例えばレンズ１９ｂの背面で、センサケース１７の内部に設けられる。
【００３８】
光源１９ａは、可視光を照射するものである。光源１９ａは、例えばＬＥＤである。なお光源１９ａは、例えばレーザーダイオードでもよい。光源１９ａには、例えば光度が１０００ｍｃｄ以上のものが用いられる。光源１９ａは、例えば緑色の可視光を照射する。なお光源１９ａによって照射される可視光は、緑色以外、例えば橙色等であってもよい。
【００３９】
レンズ１９ｂは、光源１９ａが照射した可視光を集光するものである。レンズ１９ｂは、例えばアクリル樹脂の両凸レンズである。なおレンズ１９ｂの材質は、例えばポリカーボネイト樹脂あるいはガラスでもよい。またレンズ１９ｂは、フレネルレンズでもよい。
【００４０】
センサケース１７のうちの光源１９ａとレンズ１９ｂとの間の部位は、例えば光源１９ａによって照射される可視光が透過する部材で形成される。またセンサケース１７のうち、光源１９ａとレンズ１９ｂとの間の部位は、例えば開口していてもよい。光源１９ａによって照射される可視光は、レンズ１９ｂへ照射される。
【００４１】
レンズ１９ｂは、光源１９ａが照射した可視光を集光する。レンズ１９ｂによって集光された可視光は、例えば室内で容易に視認される状態となる。光源１９ａ及びレンズ１９ｂは、レンズ１９ｂによって集光された可視光がセンサケース１７の正面方向に照射されるように設けられる。すなわち、レンズ１９ｂによって集光された可視光は、吹出方向へ照射される。
【００４２】
レンズ１９ｂによって集光された可視光は、筐体１の外部へ照射される。ここで、レンズ１９ｂによって集光された可視光が照射される領域を、照射領域３０とする。光源１９ａ及びレンズ１９ｂは、例えば筐体１から１ｍ離れた位置での照射領域３０が直径６０ｍｍの円となるように設けられる。なお照射領域３０の大きさ及び形状は本例に限定されない。
【００４３】
光源１９ａ及びレンズ１９ｂは、センサケース１７に設けられる。光源１９ａ及びレンズ１９ｂは、センサケース１７と共に動く。すなわち、レンズ１９ｂによって集光された可視光は、例えば吹出方向が変更された場合においても、変更された吹出方向へ照射される。
【００４４】
また除湿機１００は、制御装置２０及び操作部２１を備える。制御装置２０は、例えば図２に示すように、筐体１の内部に設けられる。操作部２１は、例えば図１及び図２に示すように、筐体１の上面の後面側に設けられる。制御装置２０と操作部２１とは接続される。
【００４５】
制御装置２０は、除湿機１００に備えられる各機器に接続される。制御装置２０は、除湿機１００に備えられる各機器を制御する。制御装置２０は、例えばファンモータ６、除湿部７、第１モータ１２、第２モータ１４及び照射部１９に接続される。制御装置２０は、例えばファンモータ６、除湿部７、第１モータ１２、第２モータ１４及び照射部１９を制御する。
【００４６】
また制御装置２０は、例えば表面温度検出部１８に接続される。表面温度検出部１８は、検出した表面温度の情報を、電圧等の電気信号に変換する。表面温度検出部１８は、変換した電気信号を、制御装置２０へ出力する。制御装置２０は、例えば表面温度検出部１８からの電気信号に基づいて動作する。
【００４７】
操作部２１は、使用者が除湿機１００を操作するための部位である。操作部２１は、例えば運転ボタン２１ａ、モード選択ボタン２１ｂ、設定ボタン２１ｃ及び操作キー２１ｄを有する。運転ボタン２１ａは、除湿機１００の運転を開始及び停止させるためのものである。
【００４８】
モード選択ボタン２１ｂは、除湿機１００の運転モードを選択するためのものである。モード選択ボタン２１ｂは、例えば使用者からの操作に応じた信号を制御装置２０へ送信する。また設定ボタン２１ｃは、除湿機１００の設定を行うためのものである。設定ボタン２１ｃは、例えば使用者からの操作に応じて信号を制御装置２０へ送信する。
【００４９】
操作キー２１ｄは、操作指示を送信する操作手段の一例である。操作キー２１ｄは、風向変更部１０を動かすためのものである。操作キー２１ｄは、例えば十字キーである。操作キー２１ｄは、使用者からの操作に応じた操作指示を制御装置２０へ送信する。制御装置２０は、操作指示を受信すると、受信した操作指示に基づいて動作する。なお操作キー２１ｄは、十字キー以外のものでもよい。
【００５０】
図６は、実施の形態１の制御装置２０を示す図である。図６（ａ）は、制御装置２０の構成の一例を示す図である。一例として制御装置２０は、動作制御部２０ａ、記憶部２０ｂ、温度判定部２０ｃ及び設定部２０ｄを有する。動作制御部２０ａは、除湿機１００に備えられた各機器を制御する制御手段の一例である。動作制御部２０ａは、例えば操作キー２１ｄからの操作指示に基づいて、第１モータ１２及び第２モータ１４を制御する。
【００５１】
記憶部２０ｂは、記憶手段の一例である。記憶部２０ｂには、例えば予め複数の運転モードが設定されている。動作制御部２０ａは、例えばモード選択ボタン２１ｂからの信号に基づいて、記憶部２０ｂに設定された複数の運転モードの中から１つの運転モードを選択する。動作制御部２０ａは、例えば選択した運転モードに基づいて、ファンモータ６、除湿部７、第１モータ１２、第２モータ１４及び照射部１９を制御する。
【００５２】
本実施例の記憶部２０ｂには、複数の運転モードのうちの１つとして固定集中モードが記憶されている。固定集中モードは、例えば除湿機１００によって靴あるいは少量の衣服３１等を集中して乾燥させる時に使用される運転モードである。
【００５３】
温度判定部２０ｃは、表面温度検出部１８によって出力された電気信号に基づいて、表面温度の判定を行う部位である。記憶部２０ｂには、例えば表面温度の基準値の情報が記憶されている。温度判定部２０ｃは、例えば表面温度検出部１８からの電気信号と記憶部２０ｂに記憶された基準値の情報とに基づいて、表面温度の判定を行う。
【００５４】
設定部２０ｄは、設定ボタン２１ｃからの信号に応じて、記憶部２０ｂに設定方向を設定する部位である。設定ボタン２１ｃは、例えば照射部１９によって可視光が照射されている時に押されると、設定部２０ｄへ信号を送信する。設定部２０ｄは、設定ボタン２１ｃから信号を受信すると、照射部１９によって可視光が照射されている方向を設定方向として記憶部２０ｂに設定する。設定ボタン２１ｃ及び設定部２０ｄは、設定方向を設定する設定手段の一例である。
【００５５】
また図６（ｂ）は、制御装置２０の構成の一例を示すハードウェア構成図である。制御装置２０の動作制御部２０ａ、記憶部２０ｂ、温度判定部２０ｃ及び設定部２０ｄの各機能は、例えば処理回路により実現される。処理回路は、専用ハードウェア２００であってもよい。処理回路は、プロセッサ２０１及びメモリ２０２を備えていてもよい。処理回路は、一部が専用ハードウェア２００として形成され、更にプロセッサ２０１及びメモリ２０２を備えていてもよい。図６（ｂ）は、処理回路が、その一部が専用ハードウェア２００として形成され、プロセッサ２０１及びメモリ２０２を備えている場合の例を示している。
【００５６】
一部が少なくとも１つの専用ハードウェア２００である処理回路には、例えば、単一回路、複合回路、プログラム化したプロセッサ、並列プログラム化したプロセッサ、ＡＳＩＣ、ＦＰＧＡ、又はこれらを組み合わせたものが該当する。
【００５７】
処理回路が少なくとも１つのプロセッサ２０１及び少なくとも１つのメモリ２０２を備える場合、制御装置２０の動作制御部２０ａ、記憶部２０ｂ、温度判定部２０ｃ及び設定部２０ｄの各機能は、ソフトウェア、ファームウェア、又はソフトウェアとファームウェアとの組み合わせにより実現される。
【００５８】
ソフトウェア及びファームウェアはプログラムとして記述され、メモリ２０２に格納される。プロセッサ２０１は、メモリ２０２に記憶されたプログラムを読み出して実行することにより、各部の機能を実現する。プロセッサ２０１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ２０２には、例えば、ＲＡＭ、ＲＯＭ、フラッシュメモリー、ＥＰＲＯＭ及びＥＥＰＲＯＭ等の不揮発性又は揮発性の半導体メモリ、又は磁気ディスク、フレキシブルディスク、光ディスク、コンパクトディスク、ミニディスク及びＤＶＤ等が該当する。
【００５９】
このように、処理回路は、ハードウェア、ソフトウェア、ファームウェア、又はこれらの組み合わせによって、制御装置２０の動作制御部２０ａ、記憶部２０ｂ、温度判定部２０ｃ及び設定部２０ｄの各機能を実現することができる。また除湿機１００の構成は、単一の制御装置２０により動作が制御される構成に限定されるものではない。除湿機１００の構成は、複数の装置が連携することにより動作が制御される構成でも良い。
【００６０】
次に、除湿機１００の動作の例について説明する。除湿機１００は、例えば室内で使用される。除湿機１００は、例えば運転ボタン２１ａが押されることによって、運転を開始する。例えば使用者によって押された運転ボタン２１ａは、動作制御部２０ａへ信号を送信する。動作制御部２０ａは、運転ボタン２１ａから信号を受信すると、ファンモータ６及び除湿部７を駆動させる。
【００６１】
ファンモータ６が駆動すると、送風ファン６ａが回転する。送風ファン６ａは、気流を発生させる。送風ファン６ａが発生させた気流によって、例えば図２に示すように、室内空気Ｐが吸込口３から筐体１の内部へ取り込まれる。室内空気Ｐは、除湿部７によって除湿されて、乾燥空気Ｑとなる。乾燥空気Ｑは、送風ファン６ａが発生させた気流によって、吹出口４から室内へ吹き出される。乾燥空気Ｑの吹出方向は、風向変更部１０によって決まる。上記のようにして、除湿機１００は運転を開始する。
【００６２】
使用者は、例えば運転ボタン２１ａによって除湿機１００の運転を開始させた後、モード選択ボタン２１ｂを操作する。以下では、除湿機１００の動作の一例として、使用者によって固定集中モードが選択された場合の動作について説明する。
【００６３】
動作制御部２０ａは、モード選択ボタン２１ｂからの信号に基づいて、固定集中モードを選択する。動作制御部２０ａは、固定集中モードを選択すると、照射部１９の光源１９ａに可視光を照射させる。可視光は、レンズ１９ｂに集光される。レンズ１９ｂに集光された可視光は、乾燥空気Ｑの吹出方向へ照射される。
【００６４】
図７は、実施の形態１の除湿機１００の動作を示す図である。図７に示すように、乾燥空気Ｑの吹出方向へ照射された可視光は、照射領域３０を照らす。使用者は、例えば照射領域３０を見ながら操作キー２１ｄを操作する。操作キー２１ｄは、使用者からの操作に基づいた操作指示を動作制御部２０ａへ送信する。動作制御部２０ａは、受信した操作指示に基づいて、第１モータ１２及び第２モータ１４を制御する。これにより、上下方向ルーバー１１及び左右方向ルーバー１３が動く。上下方向ルーバー１１及び左右方向ルーバー１３が動くことにより、吹出方向が変更される。
【００６５】
上下方向ルーバー１１及び左右方向ルーバー１３が動くと、センサケース１７も共に動く。またセンサケース１７に設けられた照射部１９も動く。照射部１９は、変更された吹出方向へ光を照射するように動く。照射領域３０は、吹出方向の変更に合わせて動く。使用者は、照射領域３０を見ながら、例えば図７に示すように、予め設置しておいた衣服３１が照らされるように操作キー２１ｄを操作する。これにより、衣服３１に乾燥空気Ｑが集中する。
【００６６】
ここで使用者は、衣服３１が可視光によって照らされている状態で、例えば設定ボタン２１ｃを押してもよい。使用者によって押された設定ボタン２１ｃは、設定部２０ｄへ信号を送信する。設定部２０ｄは、設定ボタン２１ｃから信号を受信すると、照射部１９によって可視光が照射されている方向を設定方向として記憶部２０ｂに設定する。設定方向が記憶部２０ｂに設定されると、動作制御部２０ａは、吹出方向が設定方向へ固定されるように第１モータ１２及び第２モータ１４を制御する。
【００６７】
吹出方向が設定方向へ固定されると、乾燥空気Ｑは、設定方向へ一定時間吹き出され続ける。乾燥空気Ｑが吹き出される際、表面温度検出部１８は、吹出領域の表面温度を検出する。表面温度検出部１８は、検出した表面温度の情報を電気信号に変換する。表面温度検出部１８は、変換した電気信号を、温度判定部２０ｃへ送信する。
【００６８】
温度判定部２０ｃは、受信した電気信号と記憶部２０ｂに予め記憶された基準値の情報とに基づいて表面温度の判定を行う。吹出領域の表面温度が基準値を超えたと温度判定部２０ｃによって判定されると、動作制御部２０ａは、ファンモータ６、除湿部７を停止させる。これにより、除湿機１００の運転が終了する。
【００６９】
上記実施例において照射部１９の光源１９ａは、固定集中モードが選択されると可視光を照射する。光源１９ａは、例えば除湿機１００の運転が開始すると同時に可視光の照射を開始してもよい。また光源１９ａは、例えば設定ボタン２１ｃが押されたと同時、あるいは設定ボタン２１ｃが押されてから一定時間経過後に、可視光の照射を停止してもよい。
【００７０】
上記実施例において使用者は、照射領域３０を見ることによって、乾燥空気Ｑの吹出方向を容易に認識することができる。また使用者は、操作キー２１ｄによって乾燥空気Ｑの吹出方向を任意の方向へ容易に変更することができる。使用者は、照射領域３０を見ることによって、分かりやすい状態で乾燥空気Ｑの吹出方向を変更することができる。使用者は、除湿機１００に合わせて乾かしたい衣服３１を動かすことなく、予め干しておいた衣服３１を集中して乾燥させることができる。
【００７１】
上記実施例において使用者は、設定ボタン２１ｃを操作することにより、任意の方向に乾燥空気Ｑを集中させることができる。乾燥空気Ｑは、衣服３１へ向かって無駄なく確実に送られる。本例であれば、例えば乾燥させる必要のない物への送風による無駄な電気代が削減される。また動作制御部２０ａは、表面温度検出部１８の検出結果に基づいてファンモータ６を停止させる。これにより、無駄な電気代がより削減される。
【００７２】
上記実施例によれば、乾燥空気Ｑの吹出方向をより容易に認識することができ、かつ乾燥空気Ｑの吹出方向を任意の方向へより容易に変更することができる除湿機１００が得られる。なお上記実施例においては衣服３１を乾燥させる動作を一例として示したが、乾燥空気Ｑが吹き出される対象は衣服３１に限られない。例えば除湿機１００は、浴室の壁及び床等の、屋内の濡れた場所を乾燥する際にも使用できる。
【００７３】
風向決定手段の一例である風向変更部１０は、上下方向ルーバー１１及び左右方向ルーバー１３を有していなくてもよい。風向変更部１０の構造は、上記実施例以外にも、例えば上下左右方向へ動くことができるノズル状の構造であってもよい。
【００７４】
また照射部１９は、例えばセンサケース１７に設けられていなくてもよい。あるいはセンサケース１７は、リンク１５に接続されていなくてもよい。例えば除湿機１００は、照射部１９と風向変更部１０とが独立して動作可能な構成であってもよい。照射部１９は、例えば風向変更部１０の動きに合わせて、制御装置２０によって動かされるものであってもよい。
【００７５】
上記実施例において操作部２１の操作キー２１ｄは、筐体１に設けられる。使用者は、筐体１上の操作キー２１ｄを操作するという容易な動作によって、乾燥空気Ｑの吹出方向を変更することができる。なお除湿機１００は、例えば操作部２１の代わりに、操作キー２１ｄを有するリモートコントローラーを備えていてもよい。本例であれば使用者は、筐体１から離れた位置で、除湿機１００を操作できる。また除湿機１００は、例えば操作部２１とリモートコントローラーとの両方を備えていてもよい。
【００７６】
実施の形態２．
次に、実施の形態２について説明する。本実施の形態の除湿機１００の構成は、実施の形態１と同様に、図１から図６によって示される。実施の形態１と同様の構成及び動作については、説明を省略する。本実施の形態の記憶部２０ｂには、複数の運転モードのうちの１つとしてスイング集中モードが記憶されている。また本実施の形態において可視光が照射される領域は、照射領域３０ａとする。
【００７７】
スイング集中モードとは、例えば複数の衣服３１ａを乾燥させたい時に使用される運転モードである。スイング集中モードとは、乾燥空気Ｑが、吹出方向が変更されつつ吹き出される運転モードである。以下、本実施の形態では、このスイング集中モードの動作について説明する。
【００７８】
使用者は、例えば実施の形態１と同様に、運転ボタン２１ａによって除湿機１００の運転を開始させた後、モード選択ボタン２１ｂを操作する。動作制御部２０ａは、例えばスイング集中モードを選択する。動作制御部２０ａは、スイング集中モードを選択すると、照射部１９の光源１９ａに可視光を照射させる。乾燥空気Ｑの吹出方向へ可視光が照射される。なお光源１９ａは、上記の実施の形態１と同様に、例えば除湿機１００の運転が開始すると同時に可視光の照射を開始してもよい。
【００７９】
図８は、実施の形態２の除湿機１００の動作を示す図である。使用者は、操作キー２１ｄを操作することにより、照射部１９から照射される可視光によって照らされる照射領域３０ａを動かす。使用者は、例えば図８に示すように、左端の衣服３１ａが可視光によって照らされた状態で設定ボタン２１ｃを押す。設定ボタン２１ｃが押された時に照射部１９によって可視光が照射されている方向が、第１の設定方向として記憶部２０ｂに設定される。
【００８０】
次に使用者は、例えば図８に示すように、右端の衣服３１ａが可視光によって照らされた状態で設定ボタン２１ｃを押す。設定ボタン２１ｃが押された時に照射部１９によって可視光が照射されている方向が、第２の設定方向として記憶部２０ｂに設定される。
【００８１】
第１の設定方向及び第２の設定方向が記憶部２０ｂに設定されると、動作制御部２０ａは、この第１の設定方向と第２の設定方向との間の範囲で吹出方向を変更させるように、第１モータ１２及び第２モータ１４を制御する。上下方向ルーバー１１及び左右方向ルーバー１３がスイングしながら、乾燥空気Ｑが吹き出される。乾燥空気Ｑは、例えば実施の形態１と同様に、吹出領域の表面温度が基準値を超えるまで、第１の設定方向と第２の設定方向との間の範囲に吹き出される。
【００８２】
本実施例であれば、乾燥空気Ｑは、任意かつ広い範囲に吹き出される。乾燥空気Ｑは、吹出方向が変更されながら吹き出される。本実施例であれば、より広範囲かつ任意の対象に向かって、まんべんなく乾燥空気Ｑが吹き出される。また実施の形態１と同様に、使用者は乾燥空気Ｑの吹出方向を容易に認識することができる。使用者は、分かりやすい状態で、乾燥空気Ｑが吹き出される範囲を指定することができる。
【００８３】
なお、例えば第１の設定方向及び第２の設定方向の他に、例えば第３の設定方向及び第４の設定方向が設定されてもよい。本実施の形態の除湿機１００は、例えば第１の設定方向、第２の設定方向、第３の設定方向及び第４の設定方向の間の範囲で乾燥空気Ｑの吹出方向が変更されるように構成されてもよい。
【００８４】
また除湿機１００は、実施の形態１と実施の形態２とを組み合わせたものであってもよい。例えば除湿機１００は、実施の形態１に示す固定集中モードと実施の形態２に示すスイング集中モードとの、両方の運転を行うように構成されてもよい。
【産業上の利用可能性】
【００８５】
本発明に係る除湿機は、任意の対象物を乾燥させるために利用される。
【符号の説明】
【００８６】
１  筐体、  ２  車輪、  ３  吸込口、  ４  吹出口、  ５  風路、  ６  ファンモータ、  ６ａ  送風ファン、  ７  除湿部、  ８  貯水部、  ９  フィルター、  １０  風向変更部、  １１  上下方向ルーバー、  １２  第１モータ、  １２ａ  歯車、  １２ｂ  歯車、  １２ｃ  歯車、  １３  左右方向ルーバー、  １４  第２モータ、  １５  リンク、  １６  センサ部、  １７  センサケース、  １７ａ  センサ窓、  １８  表面温度検出部、  １９  照射部、  １９ａ  光源、  １９ｂ  レンズ、  ２０  制御装置、  ２０ａ  動作制御部、  ２０ｂ  記憶部、  ２０ｃ  温度判定部、  ２０ｄ  設定部、  ２１  操作部、  ２１ａ  運転ボタン、  ２１ｂ  モード選択ボタン、  ２１ｃ  設定ボタン、  ２１ｄ  操作キー、  ３０  照射領域、  ３０ａ  照射領域、  ３１  衣服、  ３１ａ  衣服、  １００  除湿機、  ２００  専用ハードウェア、  ２０１  プロセッサ、  ２０２  メモリ
【図１】
2017141487.tif 000003
【図２】
2017141487.tif 000004
【図３】
2017141487.tif 000005
【図４】
2017141487.tif 000006
【図５】
2017141487.tif 000007
【図６】
2017141487.tif 000008
【図７】
2017141487.tif 000009
【図８】
2017141487.tif 000010
【国際調査報告】
2017141487.tif 000011
2017141487.tif 000012
2017141487.tif 000013
2017141487.tif 000014